【事件の表示】
　平成　６年特許願第　９１１７５号「画像読み取り方法及び本原稿画像形成装置」拒絶査定不服審判事件〔平成　７年１１月１０日出願公開、特開平　７−２９８００９〕について、次のとおり審決する。
【結　論】
　本件審判の請求は、成り立たない。
【理　由】
１．手続きの経緯
　本願は、平成６年４月２８日に出願されたものであって、平成１６年１月８日付けで拒絶査定がされ、これに対して平成１６年２月１９日に拒絶査定不服審判が請求されると共に平成１６年３月１８日に手続補正がなされたものである。
　
２．平成１６年３月１８日付けの手続補正についての補正却下の決定
［補正却下の決定の結論］
　平成１６年３月１８日付けの手続補正を却下する。
［理由］
（１）補正後の本願発明
　平成１６年３月１８日付けの手続補正により、特許請求の範囲の請求項１は、
　
　「【請求項１】本原稿を第１の読み取り手段で読み取り、シート原稿を第２の読み取り手段で読み取り、前記第１の読み取り手段及び前記第２の読み取り手段で読み取った画像情報を多階調の画像データに変換し、該多階調の画像データを予め設定された変換テーブルに基づいて濃度変換する画像読み取り方法において、
　前記本原稿の読み取りを前記第１の読み取り手段で行い、該第１の読み取り手段で読み取った画像情報を第１の変換テーブルに基づいて濃度変換する第１のモードと、
　前記シート原稿の読み取りを前記第２の読み取り手段で行い、該第２の読み取り手段で読み取った画像情報を第２の変換テーブルに基づいて濃度変換する第２のモードとを有し、前記第１の変換テーブルの高濃度領域における画像データの濃度変換特性は、前記第２の変換テーブルの高濃度領域における画像データの濃度変換特性と同一とし、
　前記第１の変換テーブルの低濃度領域における画像データの濃度変換特性は、前記第２の変換テーブルの低濃度領域における画像データの濃度変換特性より低く、かつ、連続的な濃度変換特性であることを特徴とする画像読み取り方法。」
と補正された。
　
　前記補正は、補正前の請求項１に記載した発明を特定するために必要な事項を限定するための補正であり、特許法第１７条の２第４項第２号の特許請求範囲の減縮を目的とするものに該当する。
　そこで、本件補正後の前記請求項１に記載された発明（以下、「本願補正発明」という。）が特許出願の際独立して特許を受けることができるものであるか、すなわち特許法第１７条の２第５項において準用する同法第１２６条第５項の規定に適合するかどうかについて以下に検討する。
　　
（２）引用刊行物
（引用例１について）
　原審が拒絶の理由に引用した特開平５−１６５１１２号公報（平成５年６月２９日出願公開。以下、「引用例１」という。）には、図面と共に次の各記載がある。
　
（ア）「【００７５】読み取り領域選択キー６０９は、
ブック原稿読み取りモード
【００７６】この読み取り領域選択キー６０９の初期設定時の、読み取り領域表示ＬＥＤ６３６の表示は、「両頁」となっている。ここで、「片頁（左）」が選択された場合には、ブック原稿９２の向かって左ページのみの読み取り走査が実行され、右ページの読み取り走査は行われない。
【００７７】また、ここで、「片頁（右）」が選択された場合には、ブック原稿９２の向かって右ページのみの読み取り走査が実行され、左ページの読み取り走査は行われない。」
　なお、下線は審決において附された。以下同様。
　
（イ）「【００９１】シート原稿セット選択キー６２５は、
シート原稿読み取りモード
　
（ウ）「【０１５６】これらの
ブック原稿読み取りモード
シート原稿読み取りモード
　すなわち、
ブック原稿読み取りモードには
【０１５７】さらに、このブック原稿読み取りモードは、その読み取り方式として、出力装置（特にプリンタ）と関連して、見開かれたブック原稿９２の左右２ページ分の原稿画像を連続して読み取り、この２ページ分の画像を１枚の転写紙上にプリントする見開き２ページ連続読み取りモードと、両面画像形成機能を有するプリンターを使用して、上述の見開き２ページ連続読み取りモードにより左右２ページ分の原稿画像がプリントされた１枚の転写紙の裏面に、見開かれたブック原稿９２の次の左右２ページ分の読み取り画像を連続して形成する、この
見開き２ページ連続読み取りモードの両面モード
【０１５８】
一方、シート原稿読み取りモードには
シート原稿スルーモード
【０１５９】
また、シート原稿スルーモードには
片面読み取りモード
【０１６０】さらに、この両面読み取りモードは、第１読み取りセンサユニット９及び第２読み取りセンサユニット１４を、互いに向き合った同一位置に配置して、原稿画像の読み取りを行う同一位置読み取りモードと、第１読み取りセンサユニット９及び第２読み取りセンサユニット１４を、互いにずらした別位置に配置して、原稿画像の読み取りを行う別位置読み取りモードとを有している。」
　
（エ）「【０２１８】ブック原稿に関する画像読み取りモードは、上述した通りであり、以下、このＭＦＤＳにおけるシート原稿の画像読み取りモードについて説明する。この
シート原稿の読み取りモードには
シート原稿スルーモード
【０２１９】先ず、
シート原稿スルーモードについて
片面原稿読み取りモード
【０２２０】これらのモードの選択は、図４５に示すように行われる。先ず、
片面原稿読み取りモードでは
（中略）
【０２２３】一方、このモードでは、ページめくり読取ユニット１が、そのエンドポジション位置１−Ｃに位置しており、
その第１読み取りセンサユニット９によって、めくり搬送ベルト８により搬送されたシート原稿２００の原稿情報が順次読み取られる
　
　以上の記載からみて、引用例１には、次のような発明が記載されているものと認められる。
　「ブック原稿とシート原稿の何れの原稿をも読み取ることができる画像読み取り装置であって、
　ブック原稿読み取りモードには、ブック原稿の左片頁、右片頁、及び両頁を読み取るモードが選択可能に設けられており、
　シート原稿スルーモードには、シート原稿の片面のみの画像を読み取る片面原稿読み取りモードとシート原稿の両面の画像を同時に読み取る両面原稿読み取りモードが選択可能に設けられており、
　前記ブック原稿の両頁読み取りモードが選択されると、第１読み取りセンサユニット９よりブック原稿を読み取り、
　前記シート原稿スルーモードの片面原稿読み取りモードが選択されると、第１読み取りセンサユニット９によりシート原稿を読み取り、
　前記シート原稿の原稿スルーモードの両面原稿読み取りモードが選択されると第１読み取りセンサユニット９と第２読み取りセンサユニット１４によりシート原稿を同時に読み取る画像読み取り装置。」
　
（引用例２について）
　原審が拒絶の理由に引用した特開平６−１４１８５号公報（平成６年１月２１日出願公開。以下、「引用例２」という。）には、図面と共に次の各記載がある。
　
（ア’）「【０００５】
【発明が解決しようとする課題】しかしながら、上記のような従来例では、“地色”よりも濃い色味を持つ画像信号は再現しようとする。
このため、たとえば両面印刷で裏うつりしている原稿や、薄い原稿を重ねていて次の原稿が透けるような場合、本来必要でないそれらの裏うつりや透けたものの信号も画像として複写されてしまう
【０００６】本発明の目的は、上述のような点に鑑み、使用者の手をわずらわせずに
自動的に裏うつりしない複写を行うことのできる画像読取装置を提供する
【０００７】
【課題を解決するための手段】上記目的を達成するため、本発明は、原稿画像を読み取り、濃度信号を出力する画像読取手段と、裏とばしモードを指定する指定手段と、前記
裏とばしモードの指定に応じて、原稿の裏面や重ねた次頁の原稿が透過して複写されない濃度に、前記濃度信号に対して濃度補正を行う濃度補正手段とを具備した
【０００８】また、本発明は、好ましくは、前記指定手段は
使用者が前記裏とばしモードを指定
【０００９】また、本発明は、好ましくは、前記指定手段は前記濃度信号の濃度ヒストグラムに基づいて
自動的に裏うつり部分を判定し
該判定に基づいて前記裏とばしモードを指定する
【００１０】また、本発明は、好ましくは、前記濃度補正手段は前記判定に基づいて裏うつり部分を地色とみなして前記濃度補正を行うことができる。
【００１１】また、本発明は、好ましくは、前記濃度補正手段は原稿の文字または２値画像領域に対してのみ前記濃度補正を行うことができる。
【００１２】また、本発明は、好ましくは、前記指定手段は、
両面複写モードの際には、自動的に前記裏とばしモードを指定する
　
（イ’）「【００１５】
（第１の実施例）図２は本発明の第１の実施例における画像読取装置の回路構成を示す。図中、１０１は原稿の画像を読み取るＣＣＤ（電荷結合素子）イメージセンサ、１０２はＣＣＤイメージセンサ１０１の画素のばらつきや原稿照明光源の片よりを補正するシェーディング補正回路である。１０３はＣＣＤイメージセンサ１０１から読み込まれシェーディング補正処理を施された光量信号を濃度信号に変換する光量−濃度変換部である。
【００１６】１０４はその濃度信号を基に画像１ライン分のヒストグラムを生成し、“地色”、“黒”を検出する濃度検出回路である。１０５は「裏とばしモード」信号、１０５′は「文字／写真モード」信号である。文字／写真モード信号１０５′がＯＦＦのときは写真モードであるとする。
１０６は光量−濃度変換部１０３からの濃度信号，濃度検出回路１０４からの検出信号、およびモード信号１０５，１０５′からなる入力信号に対する出力信号の特性をあらかじめ格納したルックアップテーブル（以下、ＬＵＴと略記する）である
【００１７】複写に際して、使用者は原稿を原稿読取台（不図示）にセットし、操作部１０９のキーから「裏とばしモード」を指定して、スタートキーを押下する。プリスキャンの際、ＣＣＤイメージセンサ１０１から入力した光量信号は、シェーディング補正回路１０２、光量−濃度変換回路１０３を通って濃度信号に変換され、濃度検出回路１０４に入力する。
【００１８】この濃度検出回路１０４で図１に示したと同様なヒストグラムにより“地色”濃度ａ、“黒”濃度ｂを検出しこれらの検出値ａn ，ｂn （ｎは例えば１〜７）をＬＵＴ１０６のアドレスに入力する。また、ＣＰＵ１１０からの「裏とばしモード」信号１０５、「文字／写真モード」信号１０５′も上記と同様にＬＵＴ１０６のアドレスに入力する。
【００１９】図３の（Ａ）〜（Ｃ）はＬＵＴ１０６の各アドレス信号とそれに対応した濃度補正テーブルの内容を示す。
図３の（Ｃ）に示すように、「裏とばしモード」が信号１０５により指示されたとき（すなわち、信号１０５がＯＮ）には、そうでないとき（すなわち、信号１０５がＯＦＦ）よりも１〜２段階薄い（いわゆる、とびやすい）テーブルを選択して、裏うつり分の薄い色味の入力濃度信号を“地色”として、飛ばしている。なお、この「とばす」とは出力濃度値０を意味する。従って、上記の「裏とばしモード」により、使用者の２度手間を省いて効率よく必要な情報のみを複写できる
　
（ウ’）「【００２１】
（第３の実施例）原稿全体が単色の文字原稿の場合には、通常濃度ヒストグラムの頻度の高い部分は“地色”と“黒”の２つであると考えてよい。
しかし、裏うつりのある原稿の場合は、これに加えて、うつった分の“薄い字”もまたある程度の高い頻度で出現される。よって、この薄い字をヒストグラムを用いて判別し、“薄い字”があると判定された単色文字原稿に対しては、自動的に“裏とばしモード”に入ることもできる
【００２２】図４に、裏うつりがある単色文字原稿の場合のヒストグラムの例を示す。図中のｃで示した斜線部分が裏うつりによる濃度信号を表すと考えられる。そこで、「裏うつり濃度」が出現すると思われる濃度（図中のｄで示す）でスライスレベルをあらかじめ設定し、ｄよりも薄い濃度である頻度（図中のｅ）よりも多いものがあれば、その濃度を“地色”レベルａ′と判定してしまう。このようにすれば自動的に裏うつり画像は消去される。
【００２３】ただし、上記の地色判定処理が適用できるのは文字のような２値画像の場合であり、写真などの多値画像ではこの方法を採用するとハイライト部が再現されず、白くとんでしまう。従って、上記のような自動裏とばしモードは、プリスキャン時のサンプリングで「これは文字原稿である」と判定した場合か、あるいはまた操作部１０９において「文字モード」が指定された場合にのみ、実行する。」
　
（エ’）「【００２４】
（第４の実施例）文字のような２値画像と写真のような多値画像が混在する原稿画像を複写する場合には、文字部分の判定結果のみで“裏とばし”を行うと、写真部分のハイライト画像が飛んでしまい、再現性が悪くなる。
よって、このような原稿で特に“裏とばしモード”の指定がなく、裏うつりしていると判定された場合には、原稿中の“文字”であると判定された領域だけ“裏とばし”の処理を行う
【００２５】一方、使用者から“裏とばしモード”の指定があった場合には、写真部分についても裏とばしを実行する。
【００２６】図５に上記の処理を実行する本発明の第４の実施例の回路構成を示す。文字／写真判定部４０１において、光量−濃度変換部１０３からの濃度信号を基に原稿中の文字部分と写真部分の領域を判別する。ＯＲゲート４０２で「裏とばしモード」信号１０５、「文字／写真モード指定」信号４０３との論理和をとり、「裏うつりモード」でも「文字／写真モードどちらかのモード指定」でもなく、領域が写真であると判定されたときには、ＬＵＴ１０６における「裏とばし」がｏｆｆになる。
【００２７】本発明はカラー複写装置に限らず、画像処理装置、例えば読取装置単体に適用しても同様の効果が得られる。」
　
（オ’）「【００２８】
【発明の効果】以上説明したように、
本発明によれば、原稿の裏面などが透過して複写されないように濃度補正テーブルをとばして選択する裏とばしモードを設けたので、使用者の勘で濃度合わせをしたり、試しどりをしたりの手間をかけず、裏面透過のない見やすい複写物を自動的に得ることができる
　
（刊行物１について）
　本件出願前に刊行された特開平２−１５６２５７号公報（平成２年６月１５日出願公開。以下、「刊行物１」という。）には、図面と共に次の各記載がある。
　
（ア’’）「〔産業上の利用分野〕
　
本発明は両面原稿モ−ドと片面原稿モ−ドの少なくとも二つの複写モ−ドを備えた複写装置に係り
複写濃度制御に特徴
〔従来の技術〕
　複写作業に際しては、原稿の濃度や地肌の濃度が多岐にわたるため、マニュアルで濃度を可変する手段は不可欠であり、最近では、マニュアルで行う外に、原稿の濃度を検出して自動的にその複写条件を変えて複写濃度を制御するものも知られている。これらの複写濃度制御としては、特開昭５６−９２５４７、特開昭５６−９５２５３、特開昭５７−２０４０６１、特開昭５７−２１０３３６および特開昭５８−７６８６２が公知である。
　このうち、特開昭５６−９２５４７記載のものは、原稿の非画像部からの反射光の分光特性を検出し、その検出特性に応じて露光量および現像バイアス電圧の少なくとも一方を制御するようになつている。
　また、特開昭５６−９５２５３記載のものは、原稿の地肌部の表面電位のみならず、濃度の濃い領域と薄い領域とを持つ基準濃度被写体の表面電位を測定して演算し、適正な現像バイアス電圧を設定するようになつている。
　さらに、特開昭５７−２０４０６１記載のものは、原稿画像の濃度を測定し、測定結果に従つて、画像記録条件を補正するように構成されている。
　加えて、特開昭５７−２１０３３６記載のものは、原稿送り中にその送り方向全長にわたつて原稿地濃度を検出し、この検出値で露光ランプの明るさを設定するようになつている。
　さらに加えて、特開昭５８−７６８６２記載のものは、センサで原稿の複数の異なる濃度の基準濃度部分を読み取つて、この読取値に基づいてセンサによる原稿情報の読取値を補正し、出力特性の傾きをも考慮して原稿情報を正しく補正するようになつている。
　一方、最近、出版物および印刷物のほとんど、例えば、Ａ４サイズ以下の印刷物の８５％以上が両面印刷であり、また、ファイル量の低減から自動両面複写装置も開発され、それらの両面複写物を原稿として複写する機会が特に増えてきている。
〔発明が解決しようとする課題〕
　しかし、薄手の用紙の両面に画像が形成された両面原稿では、従来までの通常の複写モ−ドで複写すると、上記公知技術をもってしても
原稿の裏写りを防止できない場合が生じ、裏の画像が表原稿にかぶって複写されてしまうという不具合が生じることがあつた。また、ブック原稿では裏写りに加えて２頁後の画像が写る場合もあつた
これは、上記従来技術が複写対象となる複写面の濃度のみを考慮していたためで、これらの濃度制御手段を備えた複写装置で複写し、裏写りが生じると、マニュアルで複写濃度レベルを下げて再度複写しなければならなくなり、複写作業に時間がかかるばかりでなく、用紙も無駄にすることになつていた。
　本発明は、このような従来技術の実情に鑑みてなされてもので、
その目的は、両面原稿の複写時の裏写りや、ブック原稿の裏写りおよび２頁後の写りを自動的に軽減もしくは解消し、良好な複写物を得る
〔課題を解決するための手段〕
　上記目的は、両面原稿モ−ドおよび片面原稿モ−ドのいずれか一方を選択する手段と、原稿の露光光量、現像バイアス電圧、感光体の帯電量、転写率およびトナ−の補給率の少なくともいずれか一つを変えて
複写濃度を調整
両面原稿モ−ドが選択されたときには、上記複写濃度制御手段によって設定される複写濃度を片面原稿モ−ドのときの複写濃度よりも低い予め設定された複写濃度に下げる手段を設けることによつて達成される
〔作用〕
　上記手段によれば、
両面原稿モ−ドが選択されたときには、複写濃度を下げる手段によって、片面原稿モ−ド時に適正と考えられる複写濃度に対し、裏写りが生じ難い予め設定された複写濃度までその複写濃度レベルを自動的に下げるので、対象となる原稿面のみが、特に人為的手段を用いなくとも良好に複写される
　
（イ’’）「第４図に操作・表示部の要部平面図を示す。
　図において、４１はペ−ジ連写キ−、４２は両面キ−である。
　
ペ−ジ連写キ−４１が押される毎に、第１両面原稿モ−ド、連写変倍モ−ド、第１見開き原稿モ−ドの各ＬＥＤ４１ａ，４１ｂ，４１ｃが順次点灯し、モ−ドが移行する
第１両面原稿モ−ドは両面原稿から片面ずつ２枚コピ−するモ−ド
連写変速モ−ドは２枚の原稿を１枚の転写紙上に重ねてコピ−するモ−ド
第１見開き原稿モ−ドは見開いた状態のブック原稿の両ペ−ジを２枚の転写紙にコピ−するモ−ド
　
両面キ−４２が押された場合も同様に、片面原稿モ−ド、第２両面原稿モ−ド、第２見開き原稿モ−ドの各ＬＥＤ４２ａ，４２ｂ，４２ｃが順次点灯し、点灯しているモ−ドが選択される
片面原稿モ−ドとは２枚の原稿を１枚の転写紙の表裏面にコピ−するモ−ド
第２両面原稿モ−ドとは両面原稿を１枚の転写紙の表裏面にコピ−するモ−ド
　さらに
第２見開き原稿モ−ドとは、見開いた状態のブック原稿の両ペ−ジを１枚の転写紙の表裏面にコピ−するモ−ド
　ＡＲＤＦ１０００が付属されていない複写装置においては、従来より第１両面原稿モ−ドがなかつた。しかし本発明の場合は、原稿が両面印刷であることを検知する目的で、第１両面原稿のモ−ドの受け付け、表示を可能としても良いし、両面原稿キ−４３、表示４３ａを別途設けてもよい。
　
これによりブック物のような両面物の、両面原稿である入力も可能
　
（ウ’’）「本発明では、上述した第１，第２両面原稿モ−ドの場合、及び第１，第２見開き原稿（ブック原稿）モ−ド（以下これらモ−ドを総称して
両面原稿複写モ−ド
の場合における原稿の裏写り、さらにはブック原稿の２ペ−ジ後の写りを防止するために、第１図乃至第３図に示すような方法により複写濃度を制御する
　以下、
複写濃度の可変方法
（１）原稿の露光光量を変える方法
　第５図の光源（露光ランプ）１０２は位相制御され、通常６２〜７０（Ｖ）程度に露光調整している。複写濃度（ノッチ）制御は、
露光光量を増減することによつて原稿の反射光量を増減し、感光体の表面電位を上下させることにより達成
　第１図の実線に示すように、各ノッチによつてランプ電圧を変えるが、前述の両面複写モ−ドでは、破線のように
各ノッチにおけるランプ電圧を増すことにより、通常より薄く複写される
（２）現像能力を変える方法
　（１）と同様に、現像バイアス電圧を増減させるものである。有機感光体がマイナス帯電であるため、マイナスの現像バイアス電圧を増すことにより、
感光体５０１へのトナ−付着量が低下し濃度が薄くなる
バイアス電圧を増すことにより、複写濃度を薄くする
（３）感光体の帯電量を変える方法
　感光体５０１への帯電は、スコロトロン方式の帯電チャ−ジャ５０２を採用し、暗中においてチャ−ジワイヤに高電圧（−５.０〜−７.５ＫＶ）を印加してコロナ放電を行わせることによつてなされる（ドラム電位＝−７５０Ｖ）。そしてグリッド電圧を可変することにより、感光体の感度低下（残留電位の上昇）の補正を行い、画像濃度を適正に保つことを従来より行つている。また、この時ランプ電圧、現像バイアスも同時に補正している。マイナスのグリッド電圧を増す毎に、帯電量は大きくなり複写濃度が増す。従つて、第３図に示す破線の如く
グリッド電圧を通常の補正値より低くして、濃度の低下を実現できる
複写濃度を低下させる
　その他、転写率を変えることや、
トナ−補給量を制限すること等で複写濃度の低下が図れる
以上の方法の組み合わせでも同様の効果が得られる
　尚、上記実施例を実施するに際してコストが上昇する虞はない。
〔発明の効果〕
　以上説明したように、
本発明によれば、両面原稿複写モ−ド時、自動的に複写濃度レベルを低下させ、両面原稿、ブック原稿の裏ペ−ジの濃度を片面原稿モ−ド時に比べて相対的に低下させるので、裏ペ−ジのかぶつた（重なつた）複写を防止し、また、裏写りの発生を軽減することができる
　
（刊行物２について）
　本件出願前に刊行された特開平５−２０７２８０号公報（平成５年８月１３日出願公開。以下、「刊行物２」という。）には、図面と共に次の各記載がある。
　
（ア’’’）「【０００８】
【発明が解決しようとする課題】従来のデジタルカラー画像形成装置では、上記のように色分解した読取信号Ｂ、Ｇ、Ｒより減法混色（プリンタ等）の原色である色材の記録信号Ｙ、Ｍ、Ｃを生成しているが、色材の記録信号Ｙ、Ｍ、Ｃを生成する過程での各種の基本パラメータは固定であり、ある基準の入出力の対応に基づいて決められる。そのため、再現性が気に入らないという場合には、色調／トーン調整機能でユーザの好みに応じて調整するのが普通である。
【０００９】また、白地に文章主体の原稿では、用紙が特に色紙や新聞紙、藁半紙、再生紙等を用いた場合に、それ自体の紙の濃度が時としてかぶりとなって見苦しく再現されることがある。そのため特に、白黒コピーの場合には、サンプリングスキャンによりヒストグラムを求めて意図的に地肌濃度等を検出して下地除去を行う方式等（例えば特願平２−１４５１０４号や特開平２−２２４４６６号公報参照）が採用されるが、カラーコピーの場合には、背景の下地に近いハイライトの再現が重視されるので、下地除去を行わないのが普通である。
【００１０】しかしながら、色分解される原稿には、高級印刷や、写真のプリント等におけるように光を透過させにくい厚みのある紙の場合や、
光を透過させやすい薄い紙の場合があり、このような紙やＩＩＴのプラテンカバー裏の材質によっては通常よりも紙の下地がかぶって入力される場合がある
【００１１】例えばプラテンカバーの裏が白地のものはもともと反射率が高いので、比較的光を透過させやすい薄い紙の原稿でも表面で乱反射して反射率の低下があまり生じない。また、従来のデジタルカラー画像形成装置におけるようなプラテンカバー裏が鏡面仕上げのものでも同様である。鏡面を用いる理由の１つには、鏡面単体の反射の場合、ＩＩＴでは低反射率で入力されるために、後処理で、白地の原稿を区別して検知しやすいことにある。
【００１２】ところが、自動原稿送り装置等をつける場合には、紙を搬送するために摩擦係数が大きくなければならず、通常のような鏡面仕上げのカバーは使用できない。そこで、一般にはゴムベルトを用いるために、鏡面の利点を生かすことができず、
白ベルトを用いて原稿検知を犠牲にするか、低反射率のベルトを用いて比較的光を透過させやすい薄い紙の原稿の下地かぶりを犠牲にするかのどちらかの選択をしなくてはならなかった。そうでなければ、低反射率のベルトを用いても比較的光を透過させやすい薄い紙の原稿の下地かぶりを生じさせない対策をする必要があった
【００１３】また、
プラテンカバーの裏が白地、或いは鏡面仕上げのものは、比較的光を透過させやすい薄い紙の原稿で、表裏に印刷されているものを読み取ると、裏の画像まで透かして読み取ってしまうことがある
【００１４】本発明は、上記の課題を解決するものであって、
プラテンカバーの裏の材質や色、仕上げによらず、下地かぶりや原稿の裏画像の映し出しを除去することができる画像形成装置の下地除去方式を提供する
　
（イ’’’）「【００２８】また、カラー複写機は、原稿タイプに応じた処理をするようにしているが、写真原稿や地図等の原稿に対して単独のモードで処理する場合は、下地除去をしないように設定すればよいが、
比較的光を透過させやすい薄い紙の原稿に文字等の情報があり、写真等の光を透過させない原稿が前記原稿の一部に貼られている場合におけるように、ユーザが原稿を領域指定してくる場合には、一通りの下地除去処理では対処できない
【００２９】したがって、カラー複写機において、写真・文字混在原稿を対象とする場合には、
選択的にバックの透けの補正し、下地かぶり除去を行うことが必要であり
【００３０】図４は本発明に係るカラー画像形成装置の下地除去方式の他の実施例を説明するための図、図５は補正特性を説明するための図である。図４において、図１と同一の符号は同一の回路を示し、入力部で下地かぶりを、出力部で下地を除去するように構成している。
【００３１】入力部での下地除去は、入力装置の特性を補正するＬＵＴのＲｅｆ→Ｌ* 変換２を用い、図５（イ）に示すような直線補正を行う。
この下地かぶり除去では、バックの透けを補正するので、ハイライト側で大きな補正を実施し、高濃度部ではあまり影響しないようにしている。このように入力部で下地かぶり除去を行って原稿のカブリを除去することにより、以降の色編集回路部には、裏写りのない良好な画像信号を与えることができ、正常な色編集を行うことができる
【００３２】さらに、領域指定での原稿タイプに応じて
複数もつＥＮＬ−ＬＵＴを切り換えることにより、例えば写真、地図では下地除去をしないといった選択的な下地除去が可能となる
【００３３】原稿本来のもつ背景に対しては、下地除去回路１１′で図５（ロ）に示すような折れ線補正を行う。この下地除去では、原稿本来の下地を除去するものであり、
折れ線補正により不自然な階調飛びもなく、濃度が薄くなる等の全体的なシフトもなく下地除去が実現できる
【００３４】すなわち、単なる閾値との比較により地肌の除去処理を行うと、それにより飛ばしきれない地肌について違和感が生じる。例えば白地から新聞や青図に変わったような場合、飛ばしきれないエッジ部やノイズが現れる。そこで、閾値以下の画像データを地肌として単に除去するだけでなく、閾値を徐々に飛ばすようにすると、違和感を低減することができる。この処理を行った場合の
入力画像データと出力画像データとの関係を示したのが図５（ロ
入力画像データが閾値Ｔｈ以下の場合には出力画像データを０に、閾値Ｔｈの１．５倍以上の場合にはそのまま出力画像データにし
ＯＵＴ＝（ＩＮ−Ｔｈ）×３
となる。
【００３５】なお、本発明は、上記の実施例に限定されるものではなく、種々の変形が可能である。例えば上記実施例では、薄い紙の原稿に文字等の情報があってその一部に写真が貼られた混在原稿の例で説明したが、写真／地図等の原稿の場合には、入力部の下地除去を行わず、出力部の下地除去のみを行うようにしてもよいし、原稿読み取り部がプラテンかＤＡＤＦかにより補正値を変えるようにしてもよい。
【００３６】また、
Ｒｅｆ→Ｌ* 変換テーブル
Ｒｅｆ→Ｌ* 変換テーブル
【００３７】
【発明の効果】以上の説明から明らかなように、本発明によれば、一次関数のような簡単な補正データを用い、
光を透過させやすい薄い紙の原稿において、プラテンカバーの裏の影響による下地かぶりを簡単に、かつ精度よく除去することができるので、原稿検知ができる程度の暗いものをプラテンカバーの裏に使用することも可能になる
光を透過させやすい薄い紙の原稿で表裏に画像のあるものに対しても、裏の画像が映し出されるのを防ぐことができる
　
（３）対比
　本願補正発明と引用例１に記載された発明を対比すると、引用例１に記載された発明の「ブック原稿を読み取る第１読み取りセンサユニット９」は、本願補正発明の「本原稿を読み取る第１の読み取り手段」に相当し、引用例１に記載された発明の「シート原稿を読み取る第１読み取りセンサユニット９または第２読み取りセンサユニット１４」は、本願補正発明の「シート原稿を読み取る第２の読み取り手段」に相当することは、明らかである。また、引用例１に記載された発明の「ブック原稿９２」及び「シート原稿２００」は、それぞれ、本願補正発明の「本原稿」及び「シート原稿」に相当することも、明らかである。
　
　そして、引用例１には、ブック原稿９２を第１の読み取りセンサユニット９で読み取り、シート原稿２００を第１の読み取りセンサ９または第２の読み取りセンサユニット１４で読み取ることが記載されており（前掲（ア）〜（エ）参照。）、そして読み取った画像データを多階調の画像データに変換し、該多階調の画像データを変換テーブルを用いて濃度変換することは、当業者には周知自明な技術常識である（例えば、前掲（イ’）の【００１６】、及び、刊行物２の段落【０００２】，【０００６】，【０００７】，【００３２】の各記載を参照。）から、本願補正発明と引用例１に記載された発明とは、
　「本原稿を第１の読み取り手段で読み取り、シート原稿を第２の読み取り手段で読み取り、前記第１の読み取り手段及び前記第２の読み取り手段で読み取った画像情報を多階調の画像データに変換し、該多階調の画像データを予め設定された変換テーブルに基づいて濃度変換する画像読み取り方法」
である点において差異はない。
　　
　そうすると、本願補正発明と引用例１に記載された発明とは、
（一致点）
　「本原稿を第１の読み取り手段で読み取り、シート原稿を第２の読み取り手段で読み取り、前記第１の読み取り手段及び前記第２の読み取り手段で読み取った画像情報を多階調の画像データに変換し、該多階調の画像データを予め設定された変換テーブルに基づいて濃度変換する画像読み取り方法において、
　前記本原稿の読み取りを前記第１の読み取り手段で行い、前記シート原稿の読み取りを前記第２の読み取り手段で行う画像読み取り方法。」
である点で一致し、次の点で相違する。
　
（相違点）
　本願補正発明は、第１の読み取り手段で読み取った画像情報を第１の変換テーブルに基づいて濃度変換する第１のモードと、第２の読み取り手段で読み取った画像情報を第２の変換テーブルに基づいて濃度変換する第２のモードとを有し、前記第１の変換テーブルの高濃度領域における画像データの濃度変換特性は、前記第２の変換テーブルの高濃度領域における画像データの濃度変換特性と同一とし、前記第１の変換テーブルの低濃度領域における画像データの濃度変換特性は、前記第２の変換テーブルの低濃度領域における画像データの濃度変換特性より低く、かつ、連続的な濃度変換特性であるのに対し、
　引用例１に記載された発明は、ブック原稿複写時におけるブック原稿裏面の裏写りを防止するとは明記しない点。
　
（４）判断
　上記相違点について判断するに、
(i)複写時において、両面印刷されている原稿や、薄い原稿が複数枚重ねられていて次の原稿が透けるような場合、自動的に裏とばしモードを指定して、複数枚用意してある濃度補正テーブルの１つを選択することにより、裏面に印刷された原稿画像情報の裏写りや、透けた原稿画像情報の裏写りを防止することは、引用例２及び刊行物２にその旨の記載があるように当業者には周知である。この点については、前掲（ア’）〜（オ’）、及び、前掲(ア’’’)及び（イ’’’）を参照のこと。
(ii)また、複写時の両面原稿の裏写りや、ブック原稿の裏写り及び２頁後の裏写りを、複写濃度を制御することにより自動的に解消することは、刊行物１にもその旨の記載のあるとおり、当業者には周知な技術事項である。この点については、前掲（ア’’）〜（ウ’’）参照のこと。
(iii)そして、複写時において両面に印刷されているシート原稿の裏写りや、ブック原稿の裏写りを回避するために、高濃度領域における濃度特性は変えることなく、低濃度領域における濃度変換特性を低くすることは、引用例２、刊行物１、刊行物２にその旨が記載されているように当業者には周知な技術事項である。この点については、前掲（イ’）、（ウ’’）、（イ’’’）、及び、刊行物２の第５図及び関連説明をも参照のこと。
(iv)更に、濃度変換特性は、至るところ跳躍点のない連続した直線又は曲線であることは、そのグラフを見れば分かるとおり、当業者には自明な技術常識である。この点については、引用例２の第３図に示される濃度変換特性のグラフ、そして刊行物２の段落【００１７】と【００３３】の記載及び刊行物２の第５図に示される濃度変換特性のグラフを参照のこと。
(v)そして、引用例１に記載された発明において、ブック原稿読み取りモードの「両面」が選択された場合、複写対象原稿は両面に画像情報が印刷されたいわゆる両面原稿であり、シート原稿スルーモードの片面読み取りモードが選択された場合、複写対象原稿は片面のみに画像情報が印刷されたいわゆる片面原稿である。したがって、ブック原稿の両面原稿を複写する場合には裏写りを抑止しなければならず、シート原稿の片面原稿を複写する場合には裏写りを抑止しなくて良いことは明白である。
　以上のことを踏まえると、引用例１に記載された発明に引用例２、刊行物１、及び刊行物２に示される周知技術事項を適用して、本願補正発明の如く、本原稿（ブック原稿に相当）を読み取った画像情報を第１の変換テーブルに基づいて濃度変換し、シート原稿を読み取った画像情報を第２の変換テーブルに基づいて濃度変換し、第１の変換テーブルの高濃度領域における濃度変換特性は、第２の変換テーブルの高濃度領域における濃度変換特性と同一とし、第１の変換テーブルの低濃度領域における濃度変換特性は、第２の変換テーブルの低濃度領域における濃度変換特性より低くし、かつ、濃度変換特性を連続にすることは、当業者が適宜なし得ることである。
　
（５）むすび
　以上のとおり、本願補正発明は、引用例１及び周知技術に基づいて当業者が容易に発明をすることができたものであるから、特許法第２９条第２項の規定により特許出願の際、独立して特許を受けることができるものではなく、特許法第１７条の２第５項で準用する同法１２６条第５項の規定に違反するものであるから、平成１６年３月１８日付けの手続補正は、特許法第１５９条第１項で準用する同法第５３条第１項の規定により却下すべきものである。
　
３．本願発明について
　平成１６年３月１８日付けの手続補正は、前記のとおり却下されるから、本願の特許請求の範囲の請求項１に係る発明（以下、「本願発明」という。）は、平成１５年３月１９日付けの手続補正により補正された特許請求の範囲の請求項１に記載された次のとおりのものである。
　
　「【請求項１】本原稿を第１の読み取り手段で読み取り、シート原稿を第２の読み取り手段で読み取り、読み取り画像情報を多階調の画像データに変換し、画像データの濃度特性を変換し、本原稿の読み取りを前記第１の読み取り手段で行うモードとシート原稿の読み取りを前記第２の読み取り手段で行うモードとで画像データの濃度を異ならせることを特徴とする画像読み取り方法。」
　
（１）引用例
　原審の拒絶の理由で引用された引用例及びその記載事項は、前記「２．（２）」項に記載したとおりである。
　
（２）対比・判断
　本願発明は、前記「２．（３）」項及び「２．（４）」項で検討した本願補正発明からその限定事項である
(a)「前記第１の変換テーブルの高濃度領域における画像データの濃度変換特性は、前記第２の変換テーブルの高濃度領域における画像データの濃度変換特性と同一とし、前記第１の変換テーブルの低濃度領域における画像データの濃度変換特性は、前記第２の変換テーブルの低濃度領域における画像データの濃度変換特性より低く、かつ、連続的な濃度変換特性である」
を省いたものである。
　そうすると、本願発明を特定する事項をすべて含み、更に他の特定する事項を付加したものに相当する本願補正発明が、前記「２．（４）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、本願は拒絶されるべきものである。
　よって、結論のとおり審決する。